(57)【要約】【課題】内容器と外容器との組付性、及び使用時における操作性の双方を具備させることができるスライド容器を提供する。【解決手段】内容器３と、内容器３にスライド移動可能に組み合わされた外容器４と、を備え、内容器３は、収容凹部２の上端開口縁よりも上方に突出し、かつ上下方向Ｌ２に弾性変位可能な操作部２１を備え、外容器４は、操作部２１を外容器４の外部に露出させる窓孔４３が形成された天壁４ａと、内容器３と外容器４とのスライド移動に伴い操作部２１が摺動する下支持部５１と、窓孔４３の内周面に配設された規制突部４４と、を備え、取出位置において、操作部２１は、下支持部５１に支持されるとともに、後方から規制突部４４に当接し、規制突部４４は、上下方向Ｌ２に弾性変形可能に構成され、下支持部５１の前端面は、前方から後方に向かうに従い漸次上方に向けて延びている。【選択図】図４
2018052571.tif 000002
【特許請求の範囲】
【請求項１】
上方に向けて開口するとともに、内容物が収容される収容凹部、及び上下方向に直交する前後方向に開口する開口部を有する内容器と、
前記内容器の前記収容凹部を閉塞する待機位置、及び前記収容凹部の一部が開放される取出位置の間を、前記前後方向にスライド移動可能に、前記内容器に組み合わされた外容器と、を備え、
前記内容器は、
前記収容凹部の上端開口縁よりも上方に突出し、かつ前記上下方向に弾性変位可能な操作部を備え、
前記外容器は、
前記操作部を前記外容器の外部に露出させる窓孔が形成された天壁と、
前記開口部を通して前記内容器内に進入し、前記操作部の下方移動を規制する下支持部と、
前記窓孔の内周面に配設された規制突部と、を備え、
前記取出位置において、前記操作部は、前記下支持部の上方から前記下支持部に近接又は当接するとともに、前記規制突部の前記待機位置側となる後方から前記規制突部に当接し、
前記規制突部は、前記上下方向に弾性変形可能に構成され、
前記下支持部の前端面は、前記取出位置側となる前方から後方に向かうに従い漸次上方に向けて延びていることを特徴とするスライド容器。
【請求項２】
前記収容凹部の前端部は、後方から前方に向かうに従い、上面視において、前記前後方向に直交する左右方向の内側に向けて延びていることを特徴とする請求項１に記載のスライド容器。
【請求項３】
前記操作部の前端面は、前記上下方向に延びる平坦面とされ、
前記操作部の後端面は、下方から上方に向かうに従い漸次前方に向けて延びる傾斜面とされていることを特徴とする請求項１又は請求項２に記載のスライド容器。
【請求項４】
前記外容器は、前方に向けて開口して前記内容器が挿入される挿入口を有する箱型に形成され、
前記挿入口における前記上下方向の幅は、前記操作部の最上端位置を通る前記内容器の前記上下方向の高さ未満になっていることを特徴とする請求項１から請求項３の何れか１項に記載のスライド容器。
【発明の詳細な説明】
【技術分野】
【０００１】
本発明は、スライド容器に関する。
【背景技術】
【０００２】
従来から、粒状の内容物を収容するスライド容器が知られている。この種のスライド容器は、上方に向けて開口するとともに、内容物が収容される収容凹部を有する内容器と、上下方向に直交する前後方向にスライド移動可能に、内容器に組み合わされた外容器と、を備えている（例えば、下記特許文献１参照）。特許文献１の構成において、外容器は、前方に向けて開口する挿入口を有する箱型に形成されている。内容器は、挿入口を通して外容器内に、外容器の前方から挿入されることで、外容器に組み付けられている。
【０００３】
この構成によれば、外容器によって内容器の収容凹部が閉塞された待機位置から、収容凹部の一部が開放された取出位置に、外容器に対して内容器をスライド移動させることで、収容凹部内の内容物が取り出されるようになっている。
【先行技術文献】
【特許文献】
【０００４】
【特許文献１】特開２００７−３３１８２７号公報
【発明の概要】
【発明が解決しようとする課題】
【０００５】
ところで、上述したスライド容器では、外容器と内容器との組付性、及び使用時における内容器の操作性の双方を向上させる点で未だ改善の余地があった。
具体的に、スライド容器では、内容器が箱型の外容器に収容された状態であっても、内容器のスライド操作を可能とするために、外容器に形成された窓孔を通して外部に露出する操作部が内容器に設けられていることがある。しかしながら、操作部は、収容凹部の上端開口縁よりも上方に突出しているため、外容器内に内容器を挿入する際、操作部と外容器とが干渉するおそれがある。
【０００６】
これに対して、例えば上述した特許文献１の構成では、外容器に破断可能に連結された操作部と、内容器に形成され、操作部が係止される係止部と、を有する構成が開示されている。
特許文献１の構成では、外容器の操作部と内容器の係止部とが重なる位置まで、外容器内に内容器を挿入した後、操作部を係止部に向けて押し込む。これにより、操作部が外容器から離脱して係止部に係止されるとともに、外容器のうち操作部が離脱した部分に操作部を露出させる窓孔が形成されることになる。
【０００７】
しかしながら、上述した特許文献１の構成では、操作部や係止部自体の寸法ばらつきや、操作部と係止部との位置ばらつきによっては、操作部と係止部との係止状態が不安定になる等のおそれがある。したがって、操作部と係止部との係止状態を安定させるためには、操作部及び係止部を高精度に形成する必要があった。
【０００８】
そこで、本発明は、上述した事情に鑑みてなされたものであって、内容器と外容器との組付性、及び使用時における操作性の双方を具備させることができるスライド容器を提供することを目的とする。
【課題を解決するための手段】
【０００９】
上記課題を解決するために、本発明は以下の手段を提案している。
本発明に係るスライド容器は、上方に向けて開口するとともに、内容物が収容される収容凹部、及び上下方向に直交する前後方向に開口する開口部を有する内容器と、前記内容器の前記収容凹部を閉塞する待機位置、及び前記収容凹部の一部が開放される取出位置の間を、前記前後方向にスライド移動可能に、前記内容器に組み合わされた外容器と、を備え、前記内容器は、前記収容凹部の上端開口縁よりも上方に突出し、かつ前記上下方向に弾性変位可能な操作部を備え、前記外容器は、前記操作部を前記外容器の外部に露出させる窓孔が形成された天壁と、前記開口部を通して前記内容器内に進入し、前記操作部の下方移動を規制する下支持部と、前記窓孔の内周面に配設された規制突部と、を備え、前記取出位置において、前記操作部は、前記下支持部の上方から前記下支持部に近接又は当接するとともに、前記規制突部の前記待機位置側となる後方から前記規制突部に当接し、前記規制突部は、前記上下方向に弾性変形可能に構成され、前記下支持部の前端面は、前記取出位置側となる前方から後方に向かうに従い漸次上方に向けて延びている。
【００１０】
この構成によれば、外容器の窓孔を通じて操作部が露出しているので、操作部を介して内容器を前方に押し込むことで、外容器に対して内容器を簡単にスライドさせることができる。
しかも、使用時において、操作部の下方移動が下支持部によって規制されているので、操作部が窓孔を通して下方に退避するのを抑制できる。これにより、優れた操作性を確実に具備させることができる。
【００１１】
ここで、本発明では、上述したように内容器に形成された操作部が上下方向に弾性変位可能に構成され、外容器に形成された規制突部が上下方向に弾性変形可能に構成され、下支持部の前端面が前方から後方に向かうに従い漸次上方に延びる傾斜面とされた構成とした。
この構成によれば、内容器を外容器に組み付ける際、内容器が外容器内に進入するのに伴い、操作部が下支持部の前端面によって上方に案内され、規制突部を押し上げることで、規制突部と下支持部との間が押し広げられる。これにより、内容器を外容器内に押し込むだけで、操作部が窓孔から露出するように、内容器と外容器とを組み付けることができる。この場合、内容器自体に操作部が設けられているので、従来のように外容器に形成された操作部を内容器に係止させる場合に比べて、内容器及び外容器との寸法精度を厳格に求める必要がない。
その結果、内容器と外容器との組付性、使用時における操作性の双方を具備させることができる。
【００１２】
本発明に係るスライド容器において、前記収容凹部の前端部は、後方から前方に向かうに従い、上面視において、前記前後方向に直交する左右方向の内側に向けて延びていてもよい。
この構成によれば、内容器が取出位置にある状態で、スライド容器を傾ける等することで、内容物が収容凹部の前端部を伝って前方に向かうに従い左右方向の内側に案内される。そのため、収容凹部における左右方向の中央部から内容物が流出し易くなる。これにより、内容物の流出位置が左右方向でばらつくのを抑制し、内容物の取出性を向上させることができる。
【００１３】
本発明に係るスライド容器において、前記操作部の前端面は、前記上下方向に延びる平坦面とされ、前記操作部の後端面は、下方から上方に向かうに従い漸次前方に向けて延びる傾斜面とされていてもよい。
この構成によれば、操作部の前端面が上下方向に延びる平坦面とされているため、取出位置において操作部と規制突部とを確実に当接させることができる。これにより、使用時において、内容器が取出位置よりも前方に移動して、内容器が外容器から脱落する等を抑制できるので、操作性の更なる向上を図ることができる。
また、操作部の後端面が傾斜面に形成されているため、内容器と外容器との組付時において、操作部を外容器内にスムーズに進入させることができる。これにより、組付性の更なる向上を図ることができる。
【００１４】
本発明に係るスライド容器において、前記外容器は、前方に向けて開口して前記内容器が挿入される挿入口を有する箱型に形成され、前記挿入口における前記上下方向の幅は、前記操作部の最上端位置を通る前記内容器の前記上下方向の高さ未満になっていてもよい。
この構成によれば、外容器が箱型に形成され、挿入口における上下方向の幅が、操作部の最上端位置を通る内容器の上下方向の高さ未満になっているため、内容器の外周面と外容器の内周面との間の隙間を小さくすることができる。そのため、内容器内への塵埃や異物等の進入を抑制できる。また、挿入口における上下方向の幅が、内容器の上下方向の高さ未満になっている構成において、上述したように操作部の後端面が傾斜面に形成されている場合には、操作部の後端面が外容器における挿入口の開口縁部に引っ掛かるのを抑制できる。
【発明の効果】
【００１５】
本発明に係るスライド容器によれば、内容器と外容器との組付性、及び使用時における操作性の双方を具備させることができる。
【図面の簡単な説明】
【００１６】
【図１】実施形態に係るスライド容器において、待機位置を示す平面図である。
【図２】実施形態に係るスライド容器において、取出位置を示す平面図である。
【図３】内容器の平面図である。
【図４】図１のＩＶ−ＩＶ線に沿う断面図である。
【図５】図１のＶ−Ｖ線に沿う断面図である。
【図６】図２のＶＩ−ＶＩ線に沿う断面図である。
【図７】実施形態に係るスライド容器の組付方法を説明する説明図であって、図６に対応する断面図である。
【図８】実施形態に係るスライド容器の組付方法を説明する説明図であって、図６に対応する断面図である。
【図９】実施形態に係るスライド容器の組付方法を説明する説明図であって、図６に対応する断面図である。
【図１０】実施形態に係るスライド容器の組付方法を説明する説明図であって、図６に対応する断面図である。
【発明を実施するための形態】
【００１７】
以下、図面を参照し、本発明の実施形態を説明する。
図１〜図３に示すように、本実施形態のスライド容器１は、内容物を収容する収容凹部２を有する内容器３と、内容器３がスライド移動可能に組み付けられた外容器４と、を有している。以下の説明では、内容器３のスライド方向を前後方向Ｌ１（矢印方向が前方）といい、前後方向Ｌ１に直交する２方向を上下方向Ｌ２（矢印方向が上方）及び左右方向Ｌ３（矢印方向が左側）という。なお、本実施形態において、内容物には、粒状物（例えばタブレット状（錠剤状）の清涼菓子や薬剤、サプリメント等の他、丸薬、カプセル剤、粒ガム等）が好適に用いられる。
【００１８】
内容器３は、上方に向けて開口する箱型に形成されている。内容器３の上面視形状は、前後方向Ｌ１を長手方向とし、左右方向Ｌ３を短手方向とする長方形状に形成されている。具体的に、内容器３は、底壁１１、及び底壁１１の外周縁から上方に立設された周壁１２を有している。
【００１９】
図３〜図５に示すように、底壁１１における中央部には、上方に膨出する膨出部１３が形成されている。膨出部１３は、上面視形状が前後方向Ｌ１を長手方向とし、左右方向Ｌ３を短手方向とする長方形状で、下方に向けて開口する箱型に形成されている。膨出部１３の頂壁には、頂壁を上下方向Ｌ２に貫通する貫通孔１４が形成されている。貫通孔１４は、上面視において、前後方向Ｌ１を長手方向とする長方形状に形成されている。また、貫通孔１４は、頂壁における前後方向Ｌ１の中央部に形成されている。
【００２０】
貫通孔１４の前端開口縁には、下方に向けて延びる前側支持壁１５が形成されている。また、貫通孔１４の後端開口縁には、下方に向けて延びる後側支持壁１６が形成されている。各支持壁１５，１６における左右両端部は、膨出部１３における左右両壁部にそれぞれ接続されている。
【００２１】
貫通孔１４の前端開口縁には、操作部２１が連設されている。操作部２１は、舌片部２２と、操作突部２３と、を備えている。
舌片部２２は、貫通孔１４の前端開口縁から後方に向けて片持ちで延在している。舌片部２２は、上下方向Ｌ２に弾性変形可能に構成されている。舌片部２２の上面は、膨出部１３の頂壁と面一に配置されている。
【００２２】
操作突部２３は、舌片部２２の後端部から上方に膨出している。したがって、操作突部２３は、内容器３における周壁１２の上端縁（収容凹部２の上端開口縁）よりも上方に突出している。操作突部２３は、上述した舌片部２２の弾性変形に伴い、上下方向Ｌ２に弾性変位可能に構成されている。また、操作突部２３は、スライド容器１における前後方向Ｌ１及び左右方向Ｌ３の中央部に位置している。但し、操作突部２３の位置は、適宜変更が可能である。
【００２３】
操作突部２３の前端面、及び左右両端面は、上下方向Ｌ２に沿って延びる平坦面に形成されている。一方、操作突部２３の後端面は、下方から上方に向かうに従い漸次前方に向けて延びる傾斜面とされている。なお、図示の例において、操作突部２３の頂面や左右両端面には、操作用リブが形成されている。また、操作突部２３の前端面や後端面の形状は、適宜変更が可能である。
【００２４】
図３に示すように、底壁１１の前部には、上方に向けてガイド壁３１が立設されている。ガイド壁３１は、スライド容器１における左右方向Ｌ３の中心を通り前後方向Ｌ１に沿って延びる仮想線Ｑに対して左右方向Ｌ３の両側に形成されている。各ガイド壁３１は、傾斜壁３２と、直線壁３３と、をそれぞれ有している。
各傾斜壁３２は、後方から前方に向かうに従い、上面視において、左右方向Ｌ３の内側（仮想線Ｑに向かう方向）に延在している。各傾斜壁３２の左右方向Ｌ３における外側端部は、周壁１２の左右両側壁１２ａ，１２ｂにそれぞれ連なっている。
各直線壁３３は、各傾斜壁３２における左右方向Ｌ３の内側端部から前方に向けて延設されている。各直線壁３３の前端部は、周壁１２の前壁１２ｃにそれぞれ連なっている。そして、本実施形態では、内容器３における底壁１１、周壁１２及びガイド壁３１で画成された部分が上方に向けて開口する上述した収容凹部２を構成している。
【００２５】
図３、図５に示すように、内容器３のうち、周壁１２の後壁１２ｄから底壁１１に亘る部分には、スリット（開口部）３５が形成されている。スリット３５は、上述した仮想線Ｑに沿って前後方向Ｌ１に延在している。スリット３５は、周壁１２における後壁１２ｄの下部を前後方向Ｌ１に貫通するとともに、底壁１１の後部を上下方向Ｌ２に貫通している。また、スリット３５は、上述した膨出部１３の後壁、及び後側支持壁１６をそれぞれ前後方向Ｌ１に貫通している。なお、スリット３５の左右方向Ｌ３における幅は、収容凹部２への内容物の充填時に内容物がスリット３５を通して零れ落ちない程度の幅に形成されていることが好ましい。
【００２６】
図１、図２、図４、図５に示すように、外容器４は、前方に向けて開口する挿入口４１（図４参照）を有する箱型に形成されている。前方から見た正面視において、挿入口４１の内形形状は、内容器３の後壁１２ｄの外形形状よりも大きくなっている。具体的に、挿入口４１における左右方向Ｌ３の幅は、後壁１２ｄにおける左右方向Ｌ３の幅よりも大きくなっている。また、挿入口４１における上下方向Ｌ２の幅は、後壁１２ｄにおける上下方向Ｌ２の高さよりも広く、操作突部２３の最上端位置を通る内容器３の上下方向Ｌ２の高さよりも狭くなっている。
【００２７】
上述した内容器３は、挿入口４１を通して外容器４内に挿入された状態で、外容器４に対して前後方向Ｌ１にスライド移動可能に構成されている。具体的に、内容器３は、収容凹部２が外容器４の天壁４ａによって閉塞された待機位置（図１参照）と、収容凹部２の前部が開放された取出位置（図２参照）と、の間をスライド移動する。なお、図示の例において、取出位置では、上述したガイド壁３１の全体が外容器４から前方に突出している。
【００２８】
外容器４の天壁４ａには、天壁４ａを上下方向Ｌ２に貫通する窓孔４３が形成されている。窓孔４３は、上面視において、前後方向Ｌ１を長手方向とする長方形状に形成されている。図示の例において、窓孔４３の後端部は、スライド容器１における前後方向Ｌ１及び左右方向Ｌ３の中央部に位置している。上述した操作突部２３は、窓孔４３を通してスライド容器１の外部に露出している。具体的に、操作突部２３は、窓孔４３を通して外容器４の天壁４ａよりも上方に突出している。内容器３の待機位置において、操作突部２３の後端面は窓孔４３の後部内周面に前方から近接又は当接している。なお、操作突部２３は、窓孔４３を通してスライド容器１の外部に露出し、窓孔４３を通して操作可能な構成であれば、天壁４ａの上面よりも下方に位置していても構わない。
【００２９】
図１、図４に示すように、窓孔４３の前部内周面には、後方に向けて片持ちで延びる規制突部４４が連設されている。規制突部４４の後端面は、操作突部２３と前後方向Ｌ１で対向している。図６に示すように、規制突部４４は、内容器３が取出位置にあるとき操作突部２３の前端面が後方から当接することで、外容器４に対する内容器３の前方への移動を規制する。また、規制突部４４は、上下方向Ｌ２に弾性変形可能に構成されている。なお、規制突部４４は、上下方向Ｌ２に弾性変形可能で、かつ操作突部２３の前方移動を規制できる構成であれば、窓孔４３の内周面における任意の位置（例えば、左右両面等）に形成することも可能である。
【００３０】
外容器４の後壁４ｂには、前方に向けて延びる下支持部５１が形成されている。下支持部５１は、上述した仮想線Ｑに沿って前後方向Ｌ１に延在している。下支持部５１の前端部は、上面視において、窓孔４３と上下方向Ｌ２で重なる位置まで延在している。なお、下支持部５１の下端部は、外容器４の底壁４ｄに連なっている。但し、下支持部５１の下端部と、外容器４の底壁４ｄと、は上下方向Ｌ２で離間していても構わない。
【００３１】
下支持部５１の前端面は、前方から後方に向かうに従い漸次上方に向けて延びる傾斜面とされている。図示の例において、下支持部５１の前端面は、上面視で上述した規制突部４４と重ならないようになっている。但し、下支持部５１は、前端面の一部（例えば、前端面における下部）が規制突部４４と重なる位置まで延在していても構わない。
【００３２】
下支持部５１は、内容器３の上述したスリット３５を通して内容器３内に進入している。下支持部５１は、内容器３内において、上述した操作部２１の下方に配置され、操作部２１の下方移動を規制している。図示の例において、下支持部５１の上端面は、操作部２１の下面に対して上下方向Ｌ２に僅かに隙間をあけた状態で配置されている。下支持部５１の上端面は、操作部２１が下方に弾性変位した際に、操作部２１の下面が当接するようになっている。この場合、操作部２１は、外容器４に対する内容器３のスライド移動に伴い、下支持部５１の上端面上を摺動する。本実施形態において、下支持部５１は、内容器３が待機位置から取出位置に至るスライド範囲全体に亘って操作部２１の下方移動を規制している。なお、下支持部５１の上端面と操作部２１の下面は、操作部２１の下方移動が下支持部５１により規制される構成であれば、操作部２１の非使用時に当接していても構わない。
【００３３】
また、図４に示すように、天壁４ａの前端面には、内容器３の組付時において、操作部２１を外容器４内に誘い込む誘い込み部５３が形成されている。誘い込み部５３は、前方に向かうに従い上方に向けて延びる傾斜面とされている。なお、誘い込み部５３は、天壁４ａにおける前端面のうち、少なくとも左右方向Ｌ３の中央部（操作突部２３と同等の位置）に形成されていればよく、天壁４ａの前端面全体に形成されていてもよい。
【００３４】
次に、上述したスライド容器１の使用方法について説明する。以下の説明では、内容器３が待機位置にある状態を初期状態とする。
まず、初期状態にあるスライド容器１を把持し、操作突部２３を介して内容器３を前方に向けて押し込む。すると、内容器３が外容器４に対して前方にスライド移動することで、内容器３の前端部が外容器４の挿入口４１を通して前方に押し出される。このとき、操作部２１は、下支持部５１に下方から支持されることで、下支持部５１の上端面上を摺動しながら前方に移動する。
【００３５】
そして、操作突部２３が規制突部４４に後方から当接するまで内容器３をスライド移動させることで、収容凹部２の前部が上方に向けて開口した取出位置となる。この状態で、スライド容器１を傾ける等することで、収容凹部２を通して内容物を取り出すことができる。特に、本実施形態では、スライド容器１を傾けることで、内容物がガイド壁３１を伝って前方に向かうに従い左右方向Ｌ３の内側に案内される。そのため、収容凹部２における左右方向Ｌ３の中央部から内容物が流出し易くなる。これにより、内容物の流出位置が左右方向Ｌ３でばらつくのを抑制し、内容物の取出性を向上させることができる。
【００３６】
次に、内容器３と外容器４との組付方法について説明する。
外容器４に内容器３を組み付けるには、内容器３の後壁１２ｄを外容器４の挿入口４１に向けた状態で、挿入口４１を通じて内容器３を外容器４内に進入させる。すると、図７に示すように、内容器３における操作突部２３の後端面が、外容器４の誘い込み部５３に前方から接触する。この状態で、内容器３を後方に向けてさらに押し込むと、図８に示すように、操作突部２３の後端面が誘い込み部５３に摺接することで、操作突部２３が誘い込み部５３によって下方に案内される。これにより、操作部２１の舌片部２２が下方に弾性変形することで、操作部２１が外容器４内に進入する。なお、操作部２１は、窓孔４３に到達するまでの間、外容器４の天壁４ａによって上方への復元変位が規制されている。
【００３７】
図９に示すように、内容器３が外容器４内をさらに後方に移動し、操作部２１が窓孔４３に到達すると、操作部２１の前端部が下支持部５１の前端面に突き当たる。操作部２１の前端部が下支持部５１の前端面に突き当たった時点で、操作部２１は規制突部４４によって上方への復元変位が規制されている。この状態で、内容器３を後方にさらに押し込むと、操作部２１が下支持部５１の前端面に倣って上方に案内されるとともに、舌片部２２が上方に復元変形しようとすることで、操作部２１全体が上方へ復元変位しようとする。すると、操作部２１の上方への復元変位によって規制突部４４が上方に向けて押し上げられ、規制突部４４が上方に弾性変形する。これにより、規制突部４４と下支持部５１との間に操作部２１（操作突部２３）が通過するための隙間Ｓが形成される。
【００３８】
そして、図１０に示すように、内容器３が外容器４内に進入するのに伴い、操作部２１は、下支持部５１の前端面によって上方に案内されながら、復元変位する。これにより、操作突部２３が窓孔４３を通じて外容器４の外部に突出する。その後、内容器３を待機位置まで押し込むことで、内容器３と外容器４との組付作業が完了する。
【００３９】
このように、本実施形態では、外容器４の窓孔４３を通じて操作部２１が露出しているので、操作部２１を介して内容器３を押し込むことで、外容器４に対して内容器３を簡単にスライドさせることができる。
しかも、本実施形態では、使用時において、操作部２１が下支持部５１によって下方から支持されているので、操作部２１が窓孔４３を通して下方に退避するのを抑制できる。これにより、優れた操作性を確実に具備させることができる。
【００４０】
ここで、本実施形態では、内容器３に形成された操作部２１が上下方向Ｌ２に弾性変位可能に構成され、外容器４に形成された規制突部４４が上下方向Ｌ２に弾性変形可能に構成され、下支持部５１の前端面が前方から後方に向かうに従い漸次上方に延びる傾斜面とされた構成とした。
この構成によれば、内容器３を外容器４に組み付ける際、内容器３が外容器４内に進入するのに伴い、操作部２１が下支持部５１の前端面によって上方に案内され、規制突部４４を押し上げることで、規制突部４４と下支持部５１との間が押し広げられる。これにより、内容器３を外容器４内に押し込むだけで、操作部２１（操作突部２３）が窓孔４３から露出するように、内容器３と外容器４とを組み付けることができる。この場合、内容器３自体に操作部２１が設けられているので、従来のように外容器に形成された操作部を内容器に係止させる場合に比べて、内容器３及び外容器４との寸法精度を厳格に求める必要がない。
その結果、内容器３と外容器４との組付性、使用時における操作性の双方を具備させることができる。
【００４１】
本実施形態では、操作突部２３の前端面が上下方向Ｌ２に延びる平坦面とされているため、取出位置において操作突部２３と規制突部４４とを確実に当接させることができる。これにより、使用時において、内容器３が取出位置よりも前方に移動して、内容器３が外容器４から脱落する等を抑制できるので、操作性の更なる向上を図ることができる。
また、本実施形態では、操作突部２３の後端面が傾斜面に形成されているため、内容器３と外容器４との組付時において、操作部２１を外容器４内にスムーズに進入させることができる。これにより、組付性の更なる向上を図ることができる。
【００４２】
本実施形態では、操作突部２３がスライド容器１における左右方向Ｌ３の中央部に位置しているため、右手及び左手何れの手で操作する際でも同等の操作性を具備させることができる。
【００４３】
本実施形態では、外容器４が箱型に形成され、かつ挿入口４１における上下方向Ｌ２の幅が、操作突部２３の最上端位置を通る内容器３の上下方向Ｌ２の高さよりも狭くなっている構成とした。
この構成によれば、内容器３の外周面と外容器４の内周面との間の隙間を小さくすることができ、内容器３内への塵埃や異物等の進入を抑制できる。また、本実施形態のように、挿入口４１における上下方向Ｌ２の幅が、内容器３の上下方向Ｌ２の高さよりも狭くなっている構成において、上述したように操作突部２３の後端面が傾斜面に形成されている場合には、操作突部２３の後端面が挿入口４１の開口縁部に引っ掛かるのを抑制できる。
【００４４】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、外容器４が箱型に形成された構成について説明したが、この構成のみに限らず、外容器４は収容凹部２を閉塞する天壁４ａを有し、内容器３がスライド移動可能に組み付けられる構成であれば構わない。
上述した実施形態では、下支持部５１が外容器４の後壁４ｂから前方に延びる構成について説明したが、この構成のみに限らず、少なくとも待機位置と取出位置との間で操作部２１を下方から支持できれば構わない。
【００４５】
上述した実施形態では、収容凹部２が内容器３のみによって画成された構成について説明したが、この構成のみに限らず、内容器３と外容器４とによって画成されていても構わない。すなわち、内容器３の周壁１２は、左右両側壁１２ａ，１２ｂや後壁１２ｄを有さない構成であっても構わない。
なお、内容器３が待機位置及び取出位置にあるとき、内容器３及び外容器４同士を係止する係止部等を設けても構わない。
上述した実施形態では、内容器３が外容器４に組み付けられる前の状態において、操作部２１が前後方向Ｌ１に沿って直線状に延在する構成について説明したが、この構成のみに限られない。例えば、内容器３が外容器４に組み付けられる前の状態において、操作部２１は、後方に向かうに従い上方や下方に向けて傾斜して延在していても構わない。
【００４６】
このように、本発明の趣旨を逸脱しない範囲で、上述した実施形態における構成要素を周知の構成要素に置き換えることは適宜可能である。
【符号の説明】
【００４７】
１…スライド容器
２…収容凹部
３…内容器
４…外容器
４ａ…天壁
２１…操作部
３５…スリット（開口部）
４１…挿入口
４３…窓孔
４４…規制突部
５１…下支持部
【図１】
2018052571.tif 000003
【図２】
2018052571.tif 000004
【図３】
2018052571.tif 000005
【図４】
2018052571.tif 000006
【図５】
2018052571.tif 000007
【図６】
2018052571.tif 000008
【図７】
2018052571.tif 000009
【図８】
2018052571.tif 000010
【図９】
2018052571.tif 000011
【図１０】
2018052571.tif 000012